(57)【要約】【課題】簡易な構成で安定した加熱定着処理が可能な定着装置及び画像形成装置を実現する。【解決手段】定着装置２２は、ローラー部材２２１の一端２２１Ｒ寄りに通紙される用紙Ｐに対して加熱処理を施すことに適した第一加熱部材２２０ａと、ローラー部材２２１の他端２２１Ｌ寄りに通紙される用紙Ｐに対して加熱処理を施すことに適した第二加熱部材２２０ｂと、を備えており、用紙Ｐがローラー部材２２１の一端２２１Ｒ寄りに通紙される際には、第一加熱部材２２０ａによる加熱比率を上げてローラー部材２２１の一端２２１Ｒ側の温度低下を防ぎ、また、用紙Ｐがローラー部材２２１の他端２２１Ｌ寄りに通紙される際には、第二加熱部材２２０ｂによる加熱比率を上げてローラー部材２２１の他端２２１Ｌ側の温度低下を防いで、ローラー部材２２１の表面温度が不均一にならないようにすることができる。【選択図】図１
2013083748.tif 000002
【特許請求の範囲】
【請求項１】
トナー像が形成された用紙が通紙される定着部と、前記定着部を加熱する加熱部と、を備え、前記定着部で前記用紙を挟持搬送することにより前記用紙にトナー像を加熱定着させる定着装置であって、
前記定着部は、前記用紙が通紙される方向と交差する方向に延在するローラー部材を有し、
前記加熱部は、前記ローラー部材の一端側を他端側よりも高温に加熱する第一加熱部材と、前記ローラー部材の他端側を一端側よりも高温に加熱する第二加熱部材と、を有し、
前記定着部に通紙される前記用紙と前記ローラー部材の相対位置に応じて、前記第一加熱部材と前記第二加熱部材の加熱比率を切り替える制御部を備え、
前記制御部は、前記用紙が前記ローラー部材の一端寄りに通紙される場合、前記第二加熱部材よりも前記第一加熱部材の加熱比率を高くし、前記用紙が前記ローラー部材の他端寄りに通紙される場合、前記第一加熱部材よりも前記第二加熱部材の加熱比率を高くすることを特徴とする定着装置。
【請求項２】
前記制御部は、前記用紙が前記ローラー部材の一端寄りに通紙される場合、前記第一加熱部材のみの加熱に切り替え、前記用紙が前記ローラー部材の他端寄りに通紙される場合、前記第二加熱部材のみの加熱に切り替え、前記用紙が前記ローラー部材の略中央寄りに通紙される場合、前記第一加熱部材と前記第二加熱部材の加熱比率を略同等に切り替えることを特徴とする請求項１に記載の定着装置。
【請求項３】
前記第一加熱部材及び前記第二加熱部材は、高温側の端部と低温側の端部を有する長尺な部材であって、その長手方向に亘って略同じ温度分布を有しており、
前記第一加熱部材と前記第二加熱部材は、高温側の端部と低温側の端部が互いに逆向きに配されて、前記ローラー部材の延在方向に沿って並設されていることを特徴とする請求項１又は２に記載の定着装置。
【請求項４】
前記加熱部は、前記ローラー部材の両端を略同じ温度に加熱する第三加熱部材を有することを特徴とする請求項１〜３の何れか一項に記載の定着装置。
【請求項５】
前記定着部に通紙される前記用紙と前記ローラー部材の相対位置に応じて、前記第一加熱部材と前記第二加熱部材と前記第三加熱部材の加熱比率を切り替える制御部を備え、
前記制御部は、前記用紙が前記ローラー部材の一端寄りに通紙される場合、前記第一加熱部材と前記第二加熱部材と前記第三加熱部材のうち、前記第一加熱部材の加熱比率を最も高くし、前記用紙が前記ローラー部材の他端寄りに通紙される場合、前記第一加熱部材と前記第二加熱部材と前記第三加熱部材のうち、前記第二加熱部材の加熱比率を最も高くし、前記用紙が前記ローラー部材の略中央寄りに通紙される場合、前記第一加熱部材と前記第二加熱部材と前記第三加熱部材のうち、前記第三加熱部材の加熱比率を最も高くすることを特徴とする請求項４に記載の定着装置。
【請求項６】
前記定着部に通紙される前記用紙と前記ローラー部材の相対位置に応じて、前記第一加熱部材と前記第二加熱部材と前記第三加熱部材の加熱比率を切り替える制御部を備え、
前記制御部は、前記用紙が前記ローラー部材の一端寄りに通紙される場合、前記第一加熱部材と前記第二加熱部材と前記第三加熱部材のうち、前記第二加熱部材の加熱比率をゼロにして、前記第一加熱部材と前記第三加熱部材による加熱に切り替え、前記用紙が前記ローラー部材の他端寄りに通紙される場合、前記第一加熱部材と前記第二加熱部材と前記第三加熱部材のうち、前記第一加熱部材の加熱比率をゼロにして、前記第二加熱部材と前記第三加熱部材による加熱に切り替え、前記用紙が前記ローラー部材の略中央寄りに通紙される場合、前記第一加熱部材と前記第二加熱部材と前記第三加熱部材のうち、少なくと
も前記第三加熱部材による加熱に切り替えることを特徴とする請求項４に記載の定着装置。
【請求項７】
前記制御部は、前記用紙が前記ローラー部材の略中央寄りに通紙される場合、前記第一加熱部材と前記第二加熱部材の加熱比率をゼロにして、前記第三加熱部材のみによる加熱に切り替えることを特徴とする請求項５又は６に記載の定着装置。
【請求項８】
前記ローラー部材に掛架されるベルト部材を備えることを特徴とする請求項１〜７の何れか一項に記載の定着装置。
【請求項９】
請求項１〜８の何れか一項に記載の定着装置と、前記用紙に前記トナー像を形成するための画像形成部と、を備えていることを特徴とする画像形成装置。
【発明の詳細な説明】
【技術分野】
【０００１】
本発明は、定着装置及び画像形成装置に関する。
【背景技術】
【０００２】
トナーによる画像を用紙に形成する画像形成装置において、未定着トナー像を担持した用紙を、対向するローラーやベルトなどの回転体間でニップし、加圧・加熱しながら搬送して、トナー像を用紙に定着する定着装置が広く用いられている。
【０００３】
そして、定着装置における回転体間の同じ位置を、同じ幅の用紙が繰り返し通過することで、通紙された用紙のエッジに対応する回転体表面が摩耗してエッジ傷が生じてしまうと、そのエッジ傷による画像不良が発生してしまうことがある。このようなエッジ傷が生じないように、定着装置のローラーを回転軸に沿った方向に移動・揺動させることで、ローラーに対する用紙の通過位置を変化させて、用紙のエッジが回転体の一部分に集中しないようにした技術が知られている（例えば、特許文献１参照。）。
【０００４】
また、定着装置のローラーを回転軸に沿った方向に移動・揺動させて、ローラー間でニップする用紙の通過位置を変化させた際、用紙の通過頻度などに応じてローラー表面に温度差が生じることがあり、その温度差に起因してトナー像を担持した用紙への加熱が不均一となってトナー像の定着不良が生じ、画像不良が発生してしまうことがある。このような加熱・定着不良が生じないように、定着装置の加熱源の位置を、通紙される用紙に対して一定に維持させることにより、用紙への加熱処理温度を安定させるようにした技術が知られている（例えば、特許文献２参照。）。
【先行技術文献】
【特許文献】
【０００５】
【特許文献１】特開２００６−９１２２４号公報
【特許文献２】特開２０１１−２２３０５号公報
【発明の概要】
【発明が解決しようとする課題】
【０００６】
しかしながら、上記特許文献２の場合、定着装置のローラーを軸方向に移動可能に配設するとともに、そのローラー内部に配する加熱源を用紙の通過位置に対応させて固定する装置構成は複雑なため、部品交換などのメンテナンス性が大きく損なわれるという問題があった。
【０００７】
本発明の目的は、簡易な構成で安定した加熱定着処理が可能な定着装置及び画像形成装置を提供することである。
【課題を解決するための手段】
【０００８】
以上の課題を解決するため、請求項１に記載の発明は、
トナー像が形成された用紙が通紙される定着部と、前記定着部を加熱する加熱部と、を備え、前記定着部で前記用紙を挟持搬送することにより前記用紙にトナー像を加熱定着させる定着装置であって、
前記定着部は、前記用紙が通紙される方向と交差する方向に延在するローラー部材を有し、
前記加熱部は、前記ローラー部材の一端側を他端側よりも高温に加熱する第一加熱部材と、前記ローラー部材の他端側を一端側よりも高温に加熱する第二加熱部材と、を有し、
前記定着部に通紙される前記用紙と前記ローラー部材の相対位置に応じて、前記第一加熱部材と前記第二加熱部材の加熱比率を切り替える制御部を備え、
前記制御部は、前記用紙が前記ローラー部材の一端寄りに通紙される場合、前記第二加熱部材よりも前記第一加熱部材の加熱比率を高くし、前記用紙が前記ローラー部材の他端寄りに通紙される場合、前記第一加熱部材よりも前記第二加熱部材の加熱比率を高くすることを特徴とする。
【０００９】
請求項２に記載の発明は、請求項１に記載の定着装置において、
前記制御部は、前記用紙が前記ローラー部材の一端寄りに通紙される場合、前記第一加熱部材のみの加熱に切り替え、前記用紙が前記ローラー部材の他端寄りに通紙される場合、前記第二加熱部材のみの加熱に切り替え、前記用紙が前記ローラー部材の略中央寄りに通紙される場合、前記第一加熱部材と前記第二加熱部材の加熱比率を略同等に切り替えることを特徴とする。
【００１０】
請求項３に記載の発明は、請求項１又は２に記載の定着装置において、
前記第一加熱部材及び前記第二加熱部材は、高温側の端部と低温側の端部を有する長尺な部材であって、その長手方向に亘って略同じ温度分布を有しており、
前記第一加熱部材と前記第二加熱部材は、高温側の端部と低温側の端部が互いに逆向きに配されて、前記ローラー部材の延在方向に沿って並設されていることを特徴とする。
【００１１】
請求項４に記載の発明は、請求項１〜３の何れか一項に記載の定着装置において、
前記加熱部は、前記ローラー部材の両端を略同じ温度に加熱する第三加熱部材を有することを特徴とする。
【００１２】
請求項５に記載の発明は、請求項４に記載の定着装置において、
前記定着部に通紙される前記用紙と前記ローラー部材の相対位置に応じて、前記第一加熱部材と前記第二加熱部材と前記第三加熱部材の加熱比率を切り替える制御部を備え、
前記制御部は、
前記用紙が前記ローラー部材の一端寄りに通紙される場合、前記第一加熱部材と前記第二加熱部材と前記第三加熱部材のうち、前記第一加熱部材の加熱比率を最も高くし、
前記用紙が前記ローラー部材の他端寄りに通紙される場合、前記第一加熱部材と前記第二加熱部材と前記第三加熱部材のうち、前記第二加熱部材の加熱比率を最も高くし、
前記用紙が前記ローラー部材の略中央寄りに通紙される場合、前記第一加熱部材と前記第二加熱部材と前記第三加熱部材のうち、前記第三加熱部材の加熱比率を最も高くすることを特徴とする。
【００１３】
請求項６に記載の発明は、請求項４に記載の定着装置において、
前記定着部に通紙される前記用紙と前記ローラー部材の相対位置に応じて、前記第一加熱部材と前記第二加熱部材と前記第三加熱部材の加熱比率を切り替える制御部を備え、
前記制御部は、
前記用紙が前記ローラー部材の一端寄りに通紙される場合、前記第一加熱部材と前記第二加熱部材と前記第三加熱部材のうち、前記第二加熱部材の加熱比率をゼロにして、前記第一加熱部材と前記第三加熱部材による加熱に切り替え、
前記用紙が前記ローラー部材の他端寄りに通紙される場合、前記第一加熱部材と前記第二加熱部材と前記第三加熱部材のうち、前記第一加熱部材の加熱比率をゼロにして、前記第二加熱部材と前記第三加熱部材による加熱に切り替え、
前記用紙が前記ローラー部材の略中央寄りに通紙される場合、前記第一加熱部材と前記第二加熱部材と前記第三加熱部材のうち、少なくとも前記第三加熱部材による加熱に切り替えることを特徴とする。
【００１４】
請求項７に記載の発明は、請求項５又は６に記載の定着装置において、
前記制御部は、前記用紙が前記ローラー部材の略中央寄りに通紙される場合、前記第一加熱部材と前記第二加熱部材の加熱比率をゼロにして、前記第三加熱部材のみによる加熱に切り替えることを特徴とする。
【００１５】
請求項８に記載の発明は、請求項１〜７の何れか一項に記載の定着装置において、
前記ローラー部材に掛架されるベルト部材を備えることを特徴とする。
【００１６】
請求項９に記載の発明は、画像形成装置であって、
請求項１〜８の何れか一項に記載の定着装置と、前記用紙に前記トナー像を形成するための画像形成部と、を備えていることを特徴とする。
【発明の効果】
【００１７】
本発明によれば、簡易な構成で安定した加熱定着処理を行うことができる定着装置及び画像形成装置を提供することができる。
【図面の簡単な説明】
【００１８】
【図１】画像形成装置を示す概略構成図である。
【図２】画像形成装置の制御系を示すブロック図である。
【図３】画像形成装置の定着装置を示す拡大側面図である。
【図４】画像形成装置の定着装置を示す拡大正面図である
【図５】定着装置の第一加熱部材の温度分布に関する説明図である。
【図６】定着装置の第二加熱部材の温度分布に関する説明図である。
【図７】画像形成装置の定着装置の変形例を示す拡大側面図である。
【図８】定着装置の第三加熱部材の温度分布に関する説明図である。
【図９】定着装置の第一加熱部材の別の温度分布に関する説明図である。
【図１０】定着装置の第一加熱部材の別の温度分布に関する説明図である。
【図１１】定着装置の第一加熱部材の別の温度分布に関する説明図である。
【発明を実施するための形態】
【００１９】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００２０】
（実施形態１）
図１は、画像形成装置１を示す概略構成図であり、図２は、画像形成装置１の制御系を示すブロック図である。
画像形成装置１は、原稿から画像を読み取り、読み取った画像データに基づく画像を用紙Ｐ上に形成して出力するコピー機能や、外部装置等から画像データを含むページデータや各画像データの画像形成条件等を含むジョブデータを受信し、受信したページデータ及びジョブデータに基づく画像を用紙Ｐ上に形成して出力するプリント機能等を具備している。
【００２１】
画像形成装置１は、図１、図２に示すように、画像読取部１０と、画像形成部２０と、定着装置２２と、用紙収容部２５と、搬送部３０と、操作部４０と、制御部５０等を備えて構成されている。
【００２２】
画像読取部１０は、ＡＤＦ（Auto Document Feeder）と称される自動原稿送り部１１と、読取部１２とを備えている。
読取部１２は、読取個所であるコンタクトガラス１２ａ上に載置された原稿ｄの画像を
ＣＣＤ（Charge Coupled Device）により読み取る。
また、自動原稿送り部１１の原稿トレイ１１ａに載置された原稿ｄは、読取個所であるコンタクトガラス１２ａ上に搬送され、ＣＣＤによってその原稿ｄの片面又は両面の画像が読み取られる。
ここで、画像とは、図形や写真等のイメージデータに限らず、文字や記号等のテキストデータ等も含む。
【００２３】
画像読取部１０により読み取られた画像（アナログ画像信号）は、後述するＣＰＵ５１図２参照）に出力され、アナログ処理、Ａ／Ｄ変換処理、シェーディング補正、画像圧縮処理等の各種画像処理が施された後、Ｙ（イエロー）、Ｍ（マゼンダ）、Ｃ（シアン）、Ｋ（ブラック）の各色に色分解され、デジタルの画像データとして画像形成部２０に出力される。
【００２４】
画像形成部２０は、入力された画像データに基づいて、電子写真方式の画像形成処理を行う。
画像形成部２０は、露光ユニット２Ｙ、２Ｍ、２Ｃ、２Ｋと、現像ユニット３Ｙ、３Ｍ、３Ｃ、３Ｋと、像担持体である感光体ドラム４Ｙ、４Ｍ、４Ｃ、４Ｋと、帯電部５Ｙ、５Ｍ、５Ｃ、５Ｋと、感光体ドラム用のクリーニング部６Ｙ、６Ｍ、６Ｃ、６Ｋと、一次転写ローラー７Ｙ、７Ｍ、７Ｃ、７Ｋと、中間転写ベルト８と、中間転写ベルト用のクリーニング装置９と、二次転写ローラー２１等を備えて構成されている。
この画像形成部２０において、中間転写ベルト８と二次転写ローラー２１とが圧接している箇所が、用紙Ｐに画像を転写して画像形成を行う画像転写部として機能する。
【００２５】
露光ユニット２Ｙ、２Ｍ、２Ｃ、２Ｋは、ＬＤ等のレーザー光源、ポリゴンミラー、複数のレンズ等から構成されている。
露光ユニット２Ｙ、２Ｍ、２Ｃ、２Ｋは、制御部５０（ＣＰＵ５１）から送られた画像データに基づいて、感光体ドラム４Ｙ、４Ｍ、４Ｃ、４Ｋの表面をレーザービームにより走査露光する。このレーザービームの走査露光により、帯電部５Ｙ、５Ｍ、５Ｃ、５Ｋによって帯電された感光体ドラム４Ｙ、４Ｍ、４Ｃ、４Ｋに潜像が形成され、すなわち画像が書き込まれる。
【００２６】
感光体ドラム４Ｙ、４Ｍ、４Ｃ、４Ｋ上に形成された潜像は、対応する現像ユニット３Ｙ、３Ｍ、３Ｃ、３Ｋのトナーによる現像によって顕像化され、各感光体ドラム４Ｙ、４Ｍ、４Ｃ、４Ｋ上にはトナー像が形成される。
感光体ドラム４Ｙ、４Ｍ、４Ｃ、４Ｋ上に形成されて担持されたトナー像は一次転写ローラー７Ｙ、７Ｍ、７Ｃ、７Ｋにより、中間転写ベルト８上に一次転写される。
【００２７】
トナー像の転写を終えた各感光体ドラム４Ｙ、４Ｍ、４Ｃ、４Ｋの表面は、クリーニング部６Ｙ、６Ｍ、６Ｃ、６Ｋによって残留トナーが除去される。
【００２８】
中間転写ベルト８は、複数のローラー（例えば、張架ローラー８１、８８）に懸架され回転可能に支持された無端状のベルト部材（エンドレスベルト）であり、ローラーの回転に伴って図中時計回りの所定の搬送方向に回動される。
この中間転写ベルト８は、一次転写ローラー７Ｙ、７Ｍ、７Ｃ、７Ｋによりそれぞれの感光体ドラム４Ｙ、４Ｍ、４Ｃ、４Ｋに圧着される。これにより各感光体ドラム４Ｙ、４Ｍ、４Ｃ、４Ｋの表面に現像された各トナー像が、各一次転写ローラー７Ｙ、７Ｍ、７Ｃ、７Ｋによる転写位置で中間転写ベルト８に転写（一次転写）される。
また、中間転写ベルト８は、二次転写ローラー２１による転写位置で用紙Ｐと圧接し、その用紙Ｐに中間転写ベルト８上に形成されたトナー像を転写（二次転写）する。
そして、中間転写ベルト８は、二次転写ローラー２１によって用紙Ｐにトナー像を転写
した後、用紙Ｐを曲率及び静電的に分離して定着装置２２へ送る。
トナー像を用紙Ｐに転写した中間転写ベルト８は、クリーニング装置９により残留トナー等の異物が除去される。
【００２９】
定着装置２２は、図１〜図４に示すように、トナー像が形成された用紙Ｐが通紙される定着部としてのローラー部材２２１，２２２と、定着部のローラー部材２２１を加熱する加熱部としての第一加熱部材２２０ａと第二加熱部材２２０ｂ等を備えている。
また、定着装置２２は、図２に示すように、ローラー部材２２１，２２２を回転させるローラー駆動部２２ｍと、ローラー部材２２１，２２２をその回転軸に沿った方向に揺動させるローラー揺動部２２ｎと、加熱部（第一加熱部材２２０ａ、第二加熱部材２２０ｂ）によって加熱されたローラー部材２２１の表面温度を検出する温度センサー２２ｓ等を備えている。
【００３０】
ローラー部材２２１，２２２は、搬送部３０により用紙Ｐが搬送される方向であって、その用紙Ｐが定着部に通紙される方向と交差する方向に延在し、回転可能に配設されている。
このローラー部材２２１，２２２の周面にはシリコーンゴムなど、熱伝導性の高い弾性体が設けられており、ローラー部材２２１，２２２が互いの周面を密着させた状態で回転することで、対を成すローラー部材２２１，２２２の間でニップした用紙Ｐを挟持搬送するようになっている。
例えば図中、上側の配置のローラー部材２２１は、ローラー駆動部２２ｍ（図２参照）によって回動される駆動ローラーであり、このローラー部材２２１の内部に第一加熱部材２２０ａと第二加熱部材２２０ｂが備えられている。例えば図中、下側の配置のローラー部材２２２は従動ローラーであり、駆動ローラーであるローラー部材２２１の回転駆動に伴い回転する。
また、ローラー部材２２１，２２２は、その回転軸方向（長手方向）であって、用紙Ｐの搬送方向と直交する方向に、移動・揺動可能に設けられている。このローラー部材２２１，２２２は、ローラー揺動部２２ｎ（図２参照）によって回転軸方向に揺動され、その長手方向に移動することでローラー部材に対する用紙Ｐの通過位置を変化させて、用紙Ｐのエッジがローラー部材２２１，２２２の一部分に集中しないようにする機能を有している。
【００３１】
第一加熱部材２２０ａは、ローラー部材２２１の一端２２１Ｒ側を他端２２１Ｌ側よりも高温に加熱する長尺なヒーターであり、例えば図４中、右側が高温の端部で左側が低温の端部となっている。第一加熱部材２２０ａは、ローラー部材２２１の一端２２１Ｒ寄りに通紙される用紙Ｐに対して加熱処理を施すことに適したヒーターである。
第二加熱部材２２０ｂは、ローラー部材２２１の他端２２１Ｌ側を一端２２１Ｒ側よりも高温に加熱する長尺なヒーターであり、例えば図４中、左側が高温の端部で右側が低温の端部となっている。第二加熱部材２２０ｂは、ローラー部材２２１の他端２２１Ｌ寄りに通紙される用紙Ｐに対して加熱処理を施すことに適したヒーターである
この第一加熱部材２２０ａと第二加熱部材２２０ｂは、その長手方向に亘って略同じ温度分布を有しており、第一加熱部材２２０ａと第二加熱部材２２０ｂは、高温側の端部と低温側の端部が互いに逆向きに配されて、ローラー部材２２１の延在方向に沿って並設されている。
具体的に、第一加熱部材２２０ａは、図５に示すように、右側の端部が左側の端部よりも高温であり、その左右の端部よりも中央側がより低温となる温度分布であって、左右の端部と中央側が所定の温度勾配でつながった温度分布を有している。
また、第二加熱部材２２０ｂは、図６に示すように、左側の端部が右側の端部よりも高温であり、その左右の端部よりも中央側がより低温となる温度分布であって、左右の端部と中央側が所定の温度勾配でつながった温度分布を有している。
つまり、第一加熱部材２２０ａと第二加熱部材２２０ｂは、ローラー部材２２１に沿って並設された状態において、左右対称の温度分布（温度勾配）で、ローラー部材２２１を加熱するように設計されている。なお、ベアリングなどを介して回転可能に軸支されているローラー部材２２１は、軸支された両端部から熱が逃げてしまう傾向があるので、第一加熱部材２２０ａと第二加熱部材２２０ｂは、ローラー部材２２１の左右の端部の温度を維持するように、端部を中央側よりも高温に加熱するための温度分布を有している。
【００３２】
そして、図５中、右側の端部が左側の端部よりも高温になる温度分布を有する第一加熱部材２２０ａは、ローラー部材２２１の一端２２１Ｒ寄りに通紙される用紙Ｐに対して良好な加熱処理を施すために、一端２２１Ｒ側に寄って通紙される用紙Ｐに対応するローラー部材２２１の表面温度が略均一になるように、ローラー部材２２１を加熱することができる。
また、図６中、左側の端部が右側の端部よりも高温になる温度分布を有する第二加熱部材２２０ｂは、ローラー部材２２１の他端２２１Ｌ寄りに通紙される用紙Ｐに対して良好な加熱処理を施すために、他端２２１Ｌ側に寄って通紙される用紙Ｐに対応するローラー部材２２１の表面温度が略均一になるように、ローラー部材２２１を加熱することができる。
なお、ローラー部材２２１の表面温度は、温度センサー２２ｓによって検出されて制御部５０に監視されており、例えば、ローラー部材２２１の表面温度が所定の温度以上になった場合には、第一加熱部材２２０ａや第二加熱部材２２０ｂがオフに切り替えられ、ローラー部材２２１の表面温度が所定の温度以下になった場合には、第一加熱部材２２０ａや第二加熱部材２２０ｂがオンに切り替えられるなどして、その表面温度を所定値に維持する制御が実行されるようになっている。
【００３３】
この第一加熱部材２２０ａと第二加熱部材２２０ｂは、ハロゲンランプヒーター、ＩＨヒーター、セラミックヒーターなど、ローラー部材２２１をその軸方向（長手方向）に所定の温度分布で加熱できるヒーターであれば、任意の熱源を用いることができる。
【００３４】
そして、定着装置２２は、ローラー部材２２１，２２２間で用紙Ｐをニップし搬送することで、用紙Ｐに転写されたトナー像を加熱定着させる。これにより、用紙Ｐにトナー像が定着して画像が形成される。この定着装置２２による定着処理を終えた用紙Ｐは排紙トレイ９１に排紙される。
【００３５】
なお、画像形成部２０による画像形成とは、露光ユニット２Ｙ、２Ｍ、２Ｃ、２Ｋにより各感光体ドラム４Ｙ、４Ｍ、４Ｃ、４Ｋに潜像を形成し、形成された潜像にトナーを付着させて現像したトナー像を中間転写ベルト８に一次転写し、さらに用紙Ｐに二次転写するまでの一連の動作のことを意味する。また、用紙Ｐ上に二次転写されたトナー像を定着装置２２で定着するまでを含めた一連の動作が画像形成装置１による画像形成である。
【００３６】
用紙収容部２５は、複数の給紙トレイ２５ａ、２５ｂ、２５ｃと、給紙手段２５ｄとを備えて構成されている。
給紙トレイ２５ａ、２５ｂ、２５ｃには、用紙Ｐの斤量やサイズ等に応じて識別された各種用紙が予め設定された種類毎に格納されている。
給紙手段２５ｄは、各給紙トレイに収容されている用紙Ｐを最上部から１枚ずつ搬送部３０に向けて給紙する。
【００３７】
搬送部３０は、用紙収容部２５から画像転写部（中間転写ベルト８および二次転写ローラー２１）に向かう搬送路Ｒと、その搬送路Ｒに配置されて用紙収容部２５から給紙された用紙Ｐを画像転写部に搬送するための複数の搬送ローラー対（３１、３２、３３）とにより構成されている。なお、搬送路Ｒの一部は、画像転写部から排紙トレイ９１に向かう
経路や、用紙の表裏を反転させるための経路に延在している。
特に、搬送部３０は、搬送ローラー対として、搬送路Ｒにおいて画像転写部（中間転写ベルト８および二次転写ローラー２１）の上流側直近に配されたレジストローラー３２と、そのレジストローラー３２の上流側に隣接して配されたループローラー３１と、そのループローラー３１と給紙トレイ（給紙手段２５ｄ）との間に配された給紙用ローラー３３とを備えている。
【００３８】
ループローラー３１は、用紙Ｐの曲がり（斜行）を矯正する機能を有する。具体的には、ループローラー３１を通過した用紙Ｐは、停止した状態のレジストローラー３２に突き当たる。そして、そのレジストローラー３２に突き当たった用紙Ｐは、さらにループローラー３１により搬送されることで湾曲し、レジストローラー３２のニップ線に倣って斜行が矯正される。
レジストローラー３２は、画像形成に備えて搬送途中の用紙Ｐを挟持しながら用紙の搬送方向と直交する方向に揺動して、中間転写ベルト８に一次転写されたトナー像に対する用紙Ｐの位置調整を行う機能を有する。
【００３９】
操作部４０は、例えば、液晶表示パネルとその液晶表示パネルの表示画面上に設けられたタッチパネルとを備えて構成されており、液晶表示パネルに表示される各種操作キー等をタッチ操作することにより、タッチパネルがタッチ指示された位置を検出し、検出した位置に応じた操作信号を制御部５０（ＣＰＵ５１）に出力するようになっている。
【００４０】
また、画像形成装置１は、図２に示すように、装置の各部を統括制御する制御部５０を備えており、その制御部５０に、画像読取部１０、画像形成部２０、定着装置２２、搬送部３０、操作部４０等が接続されている。
【００４１】
制御部５０は、ＣＰＵ（Central Processing Unit）５１と、ＲＡＭ（Random Access Memory）５２と、ＲＯＭ（Read Only Memory）５３と、を備えて構成されている。
【００４２】
ＣＰＵ５１は、ＲＯＭ５３に格納されているシステムプログラム及び各種アプリケーションプログラムの中から指定されたプログラムを読み出してＲＡＭ５２に展開し、ＲＡＭ５２に展開されたプログラムとの協働で、各種処理を実行し、画像形成装置１の各部を集中制御する。
【００４３】
ＲＡＭ５２は、例えば揮発性のメモリであって、ＣＰＵ５１により実行される各種プログラムやこれら各種プログラムに係るデータ等を格納するワークエリアを有し、その情報を一時的に記憶する。
【００４４】
ＲＯＭ５３は、例えば、画像形成装置１（ＣＰＵ５１）で実行可能なシステムプログラムや、そのシステムプログラムによって実行される各種処理プログラム、これら各種処理プログラムを実行する際に使用されるデータなどを記憶する。
例えば、ＲＯＭ５３は、定着部（ローラー部材２２１，２２２）に通紙される用紙Ｐとローラー部材２２１の相対位置に応じて、第一加熱部材２２０ａと第二加熱部材２２０ｂの加熱比率を切り替えるための加熱比率切替プログラム等を記憶している。
【００４５】
ＲＯＭ５３に記憶されている加熱比率切替プログラムは、画像形成装置１において画像形成（プリント）の実行が指示された際、その画像形成の実行に関するジョブデータに基づいて、ローラー部材２２１に対する用紙Ｐの相対位置を判断し、用紙Ｐがローラー部材２２１の一端２２１Ｒ寄りに通紙される場合は、第二加熱部材２２０ｂよりも第一加熱部材２２０ａの加熱比率を高くし、用紙Ｐがローラー部材２２１の他端２２１Ｌ寄りに通紙される場合は、第一加熱部材２２０ａよりも第二加熱部材２２０ｂの加熱比率を高くする
切り替え処理を制御部５０に実現させるプログラムである。
ＣＰＵ５１が、加熱比率切替プログラムを実行すると、制御部５０は、ローラー部材２２１に対する用紙Ｐの相対位置であって、通紙される用紙Ｐがローラー部材２２１の一端２２１Ｒ寄りか、他端２２１Ｌ寄りかを判断する。
そして、用紙Ｐがローラー部材２２１の一端２２１Ｒ寄りに通紙される場合は、第二加熱部材２２０ｂよりも第一加熱部材２２０ａの加熱比率を高くするために、第二加熱部材２２０ｂよりも第一加熱部材２２０ａの作動時間・作動回数（点灯時間・点灯回数）を多くするように、制御部５０は、第一加熱部材２２０ａと第二加熱部材２２０ｂのオン／オフを切り替える。
また、用紙Ｐがローラー部材２２１の他端２２１Ｌ寄りに通紙される場合は、第一加熱部材２２０ａよりも第二加熱部材２２０ｂの加熱比率を高くするために、第一加熱部材２２０ａよりも第二加熱部材２２０ｂの作動時間・作動回数（点灯時間・点灯回数）を多くするように、制御部５０は、第一加熱部材２２０ａと第二加熱部材２２０ｂのオン／オフを切り替える。
【００４６】
次に、本実施形態１の画像形成装置１における定着装置２２の動作について説明する。
【００４７】
画像形成装置１において画像形成（プリント）が実行されると、制御部５０は、ローラー部材２２１に対する用紙Ｐの相対位置判断を行って、通紙される用紙Ｐがローラー部材２２１の一端２２１Ｒ寄りか、他端２２１Ｌ寄りかを判断する。
例えば、画像形成装置１は、画像形成（プリント）の実行前に、ローラー部材２２１の長手方向の略中央に用紙Ｐを通紙可能とする基準位置にローラー部材２２１，２２２をローラー揺動部２２ｎによって移動させる。その後、画像形成（プリント）の実行に関するジョブデータに基づくローラー部材２２１，２２２の移動量・移動方向に応じて、ローラー揺動部２２ｎがローラー部材２２１，２２２を移動（揺動）させるようになっている。
すなわち制御部５０は、プリントジョブデータに基づく移動量・移動方向から、プリント実行時（ローラー部材２２１，２２２に用紙Ｐが通紙される際）のローラー部材２２１，２２２の配置を推定するように、ローラー部材２２１に対する用紙Ｐの相対位置を判断して、通紙される用紙Ｐがローラー部材２２１の一端２２１Ｒ寄りか、他端２２１Ｌ寄りかを判断する。
なお、ローラー部材２２１，２２２の配置を推定するにあたって、予め記憶されたローラー部材２２１，２２２の移動速度、移動時間についてのテーブルから定められた揺動位置情報を用いてもよいし、その都度計算により揺動位置情報を算出しても構わない。
【００４８】
そして、制御部５０によって判断されたローラー部材２２１に対する用紙Ｐの相対位置に応じて、制御部５０は、第一加熱部材２２０ａと第二加熱部材２２０ｂの加熱比率を切り替える。
【００４９】
具体的に、用紙Ｐがローラー部材２２１の一端２２１Ｒ寄りに通紙されると判断された場合、制御部５０は、第一加熱部材２２０ａのみの加熱に切り替える。例えば、ローラー部材２２１の表面温度が所定の温度以上にならないように、制御部５０は、ヒーターＯＮ信号とヒーターＯＦＦ信号を交互に出力しており、この場合、ヒーターＯＮ信号に伴い第一加熱部材２２０ａを作動させ、ヒーターＯＦＦ信号に伴い第一加熱部材２２０ａの作動を停止させ、次のヒーターＯＮ信号に伴い第一加熱部材２２０ａを作動させることを繰り返して、第一加熱部材２２０ａと第二加熱部材２２０ｂの加熱比率を「１００：０」にする。
一方、用紙Ｐがローラー部材２２１の他端２２１Ｌ寄りに通紙されると判断された場合、制御部５０は、第二加熱部材２２０ｂのみの加熱に切り替える。例えば、ローラー部材２２１の表面温度が所定の温度以上にならないように、制御部５０は、ヒーターＯＮ信号とヒーターＯＦＦ信号を交互に出力しており、この場合、ヒーターＯＮ信号に伴い第二加
熱部材２２０ｂを作動させ、ヒーターＯＦＦ信号に伴い第二加熱部材２２０ｂの作動を停止させ、次のヒーターＯＮ信号に伴い第二加熱部材２２０ｂを作動させることを繰り返して、第一加熱部材２２０ａと第二加熱部材２２０ｂの加熱比率を「０：１００」にする。
また、用紙Ｐがローラー部材２２１の略中央側に通紙されると判断された場合、制御部５０は、第一加熱部材２２０ａと第二加熱部材２２０ｂの加熱比率を略同等に切り替える。例えば、ローラー部材２２１の表面温度が所定の温度以上にならないように、制御部５０は、ヒーターＯＮ信号とヒーターＯＦＦ信号を交互に出力しており、この場合、ヒーターＯＮ信号に伴い第一加熱部材２２０ａを作動させ、ヒーターＯＦＦ信号に伴い第一加熱部材２２０ａの作動を停止させ、次のヒーターＯＮ信号に伴い第二加熱部材２２０ｂを作動させ、ヒーターＯＦＦ信号に伴い第二加熱部材２２０ｂの作動を停止させ、更に次のヒーターＯＮ信号に伴い第一加熱部材２２０ａを作動させることを繰り返して、第一加熱部材２２０ａと第二加熱部材２２０ｂの加熱比率を「５０：５０」にする。
【００５０】
このように、定着装置２２は、ローラー部材２２１の一端２２１Ｒ寄りに通紙される用紙Ｐに対して加熱処理を施すことに適した第一加熱部材２２０ａと、ローラー部材２２１の他端２２１Ｌ寄りに通紙される用紙Ｐに対して加熱処理を施すことに適した第二加熱部材２２０ｂと、を備えており、用紙Ｐがローラー部材２２１の一端２２１Ｒ寄りに通紙される際には、第一加熱部材２２０ａによる加熱比率を上げてローラー部材２２１の一端２２１Ｒ側の温度低下を防ぎ、また、用紙Ｐがローラー部材２２１の他端２２１Ｌ寄りに通紙される際には、第二加熱部材２２０ｂによる加熱比率を上げてローラー部材２２１の他端２２１Ｌ側の温度低下を防いで、ローラー部材２２１の表面温度が不均一にならないようにすることができる。
そして、画像形成装置１において画像形成（プリント）が実行されると、ローラー部材２２１に対する用紙Ｐの相対位置に応じて、第一加熱部材２２０ａと第二加熱部材２２０ｂの加熱比率が切り替えられて、用紙Ｐの通紙位置に応じた最適な加熱定着処理が実行される。
以上のように、定着装置２２は、その長手方向に対称な温度分布（温度勾配）を有する第一加熱部材２２０ａと第二加熱部材２２０ｂを備えた比較的簡易な構成であるものの、第一加熱部材２２０ａと第二加熱部材２２０ｂの作動と停止を適切に切り替えることで、用紙Ｐの通紙位置に応じた最適な加熱定着処理を可能とする優れた装置であり、画像形成装置１の性能を向上させることができる装置であるといえる。
【００５１】
なお、本発明は上記実施形態に限られるものではなく、第一加熱部材２２０ａと第二加熱部材２２０ｂの加熱比率を「１００：０」、「０：１００」、「５０：５０」の３段階に切り替えることに限らない。
例えば、第一加熱部材２２０ａと第二加熱部材２２０ｂの加熱比率を「５０：５０」とする場合、第一加熱部材２２０ａの作動と停止と、第二加熱部材２２０ｂの作動と停止を１セットずつ交互に繰り返すようにしたが、第一加熱部材２２０ａの作動と停止を２セット行った後、第二加熱部材２２０ｂの作動と停止を１セット行うことを繰り返して、第一加熱部材２２０ａと第二加熱部材２２０ｂの加熱比率を「６６：３４」とすることもできる。同様に、第一加熱部材２２０ａの作動と停止を１セット行った後、第二加熱部材２２０ｂの作動と停止を２セット行うことを繰り返して、第一加熱部材２２０ａと第二加熱部材２２０ｂの加熱比率を「３４：６６」とすることもできる。
そして、例えば、ローラー部材２２１，２２２の左方向（移動方向Ａ、図５参照）への揺動量が０ｃｍ以上２ｃｍ未満の場合には第一加熱部材２２０ａと第二加熱部材２２０ｂの加熱比率を「５０：５０」、揺動量が２ｃｍ以上４ｃｍ未満の場合には第一加熱部材２２０ａと第二加熱部材２２０ｂの加熱比率を「６６：３４」、揺動量が４ｃｍ以上の場合には第一加熱部材２２０ａと第二加熱部材２２０ｂの加熱比率を「１００：０」とするようにしてもよい。
このように、第一加熱部材２２０ａや第二加熱部材２２０ｂの作動と停止を繰り返す回
数や繰り返し順を調整することによって、第一加熱部材２２０ａと第二加熱部材２２０ｂの加熱比率を任意に設定することができる。
【００５２】
また、制御部５０が交互に出力しているヒーターＯＮ信号とヒーターＯＦＦ信号の間隔を長くしたり短くしたりする調整によっても、第一加熱部材２２０ａと第二加熱部材２２０ｂの加熱比率を調整することができる。
例えば、ヒーターＯＮ信号からヒーターＯＦＦ信号までの間隔を長くして、加熱部材の作動時間を長くすれば、作動している加熱部材による加熱比率を上げることができる。
また、ヒーターＯＦＦ信号からヒーターＯＮ信号までの間隔を長くして、加熱部材の停止時間を長くすれば、作動停止している加熱部材による加熱比率を下げることができる。
【００５３】
（実施形態２）
次に、本発明に係る定着装置の実施形態２について説明する。なお、実施形態１と同様の構成については、同符号を付して説明を割愛する。
【００５４】
定着装置２２は、図７に示すように、加熱部として第一加熱部材２２０ａと第二加熱部材２２０ｂに加えて、ローラー部材２２１の両端を略同じ温度に加熱する第三加熱部材２２０ｃを備えている。
第三加熱部材２２０ｃは、ローラー部材２２１の一端２２１Ｒ側と他端２２１Ｌ側を略同じ温度に加熱する長尺なヒーターであり、ローラー部材２２１の中央側に通紙される用紙Ｐに対して加熱処理を施すことに適したヒーターである。
この第三加熱部材２２０ｃは、図８に示すように、左右両端部が略同じ温度の高温域であり、その左右の端部よりも中央側が低温域となる温度分布であって、左右の端部と中央側が所定の温度勾配でつながった温度分布を有している。なお、ベアリングなどを介して回転可能に軸支されているローラー部材２２１は、軸支された両端部から熱が逃げてしまう傾向があるので、第三加熱部材２２０ｃは、ローラー部材２２１の左右の端部の温度を維持するように、端部を中央側よりも高温に加熱するための温度分布を有している。
【００５５】
制御部５０のＲＯＭ５３は、例えば、定着部（ローラー部材２２１，２２２）に通紙される用紙Ｐとローラー部材２２１の相対位置に応じて、第一加熱部材２２０ａと第二加熱部材２２０ｂと第三加熱部材２２０ｃの加熱比率を切り替えるための加熱比率切替プログラムを記憶している。
【００５６】
ＲＯＭ５３に記憶されている加熱比率切替プログラムは、画像形成装置１において画像形成（プリント）の実行が指示された際、その画像形成の実行に関するジョブデータに基づいて、ローラー部材２２１に対する用紙Ｐの相対位置を判断し、用紙Ｐがローラー部材２２１の一端２２１Ｒ寄りに通紙される場合、第一加熱部材２２０ａと第二加熱部材２２０ｂと第三加熱部材２２０ｃのうち、第一加熱部材２２０ａの加熱比率を最も高くし、用紙Ｐがローラー部材２２１の他端２２１Ｌ寄りに通紙される場合、第一加熱部材２２０ａと第二加熱部材２２０ｂと第三加熱部材２２０ｃのうち、第二加熱部材２２０ｂの加熱比率を最も高くし、用紙Ｐがローラー部材２２１の略中央寄りに通紙される場合、第一加熱部材２２０ａと第二加熱部材２２０ｂと第三加熱部材２２０ｃのうち、第三加熱部材２２０ｃの加熱比率を最も高くする切り替え処理を制御部５０に実現させるプログラムである。
ＣＰＵ５１が、加熱比率切替プログラムを実行すると、制御部５０は、ローラー部材２２１に対する用紙Ｐの相対位置であって、通紙される用紙Ｐがローラー部材２２１の一端２２１Ｒ寄りか、他端２２１Ｌ寄りか、中央寄りかを判断する。
そして、用紙Ｐがローラー部材２２１の一端２２１Ｒ寄りに通紙される場合は、３つの加熱部材のうち、第一加熱部材２２０ａの加熱比率を最も高くするために、第二加熱部材２２０ｂと第三加熱部材２２０ｃよりも第一加熱部材２２０ａの作動時間・作動回数（点
灯時間・点灯回数）を多くするように、制御部５０は、第一加熱部材２２０ａと第二加熱部材２２０ｂと第三加熱部材２２０ｃのオン／オフを切り替える。
また、用紙Ｐがローラー部材２２１の他端２２１Ｌ寄りに通紙される場合は、３つの加熱部材のうち、第二加熱部材２２０ｂの加熱比率を最も高くするために、第一加熱部材２２０ａと第三加熱部材２２０ｃよりも第二加熱部材２２０ｂの作動時間・作動回数（点灯時間・点灯回数）を多くするように、制御部５０は、第一加熱部材２２０ａと第二加熱部材２２０ｂと第三加熱部材２２０ｃのオン／オフを切り替える。
また、用紙Ｐがローラー部材２２１の中央寄りに通紙される場合は、３つの加熱部材のうち、第三加熱部材２２０ｃの加熱比率を最も高くするために、第一加熱部材２２０ａと第二加熱部材２２０ｂよりも第三加熱部材２２０ｃの作動時間・作動回数（点灯時間・点灯回数）を多くするように、制御部５０は、第一加熱部材２２０ａと第二加熱部材２２０ｂと第三加熱部材２２０ｃのオン／オフを切り替える。
【００５７】
次に、本実施形態２の画像形成装置１における定着装置２２の動作について説明する。
【００５８】
画像形成装置１において画像形成（プリント）が実行されると、制御部５０は、ローラー部材２２１に対する用紙Ｐの相対位置判断を行って、通紙される用紙Ｐがローラー部材２２１の一端２２１Ｒ寄りか、他端２２１Ｌ寄りか、中央寄りかを判断する。
そして、制御部５０によって判断されたローラー部材２２１に対する用紙Ｐの相対位置に応じて、制御部５０は、第一加熱部材２２０ａと第二加熱部材２２０ｂと第三加熱部材２２０ｃの加熱比率を切り替える。
【００５９】
具体的に、用紙Ｐがローラー部材２２１の一端２２１Ｒ寄りに通紙されると判断された場合、制御部５０は、第一加熱部材２２０ａのみの加熱に切り替える。例えば、ローラー部材２２１の表面温度が所定の温度以上にならないように、制御部５０は、ヒーターＯＮ信号とヒーターＯＦＦ信号を交互に出力しており、この場合、ヒーターＯＮ信号に伴い第一加熱部材２２０ａを作動させ、ヒーターＯＦＦ信号に伴い第一加熱部材２２０ａの作動を停止させ、次のヒーターＯＮ信号に伴い第一加熱部材２２０ａを作動させることを繰り返して、第一加熱部材２２０ａと第二加熱部材２２０ｂと第三加熱部材２２０ｃの加熱比率を「１００：０：０」にする。
一方、用紙Ｐがローラー部材２２１の他端２２１Ｌ寄りに通紙されると判断された場合、制御部５０は、第二加熱部材２２０ｂのみの加熱に切り替える。例えば、ローラー部材２２１の表面温度が所定の温度以上にならないように、制御部５０は、ヒーターＯＮ信号とヒーターＯＦＦ信号を交互に出力しており、この場合、ヒーターＯＮ信号に伴い第二加熱部材２２０ｂを作動させ、ヒーターＯＦＦ信号に伴い第二加熱部材２２０ｂの作動を停止させ、次のヒーターＯＮ信号に伴い第二加熱部材２２０ｂを作動させることを繰り返して、第一加熱部材２２０ａと第二加熱部材２２０ｂと第三加熱部材２２０ｃの加熱比率を「０：１００：０」にする。
また、用紙Ｐがローラー部材２２１の略中央側に通紙されると判断された場合、制御部５０は、第三加熱部材２２０ｃのみの加熱に切り替える。例えば、ローラー部材２２１の表面温度が所定の温度以上にならないように、制御部５０は、ヒーターＯＮ信号とヒーターＯＦＦ信号を交互に出力しており、この場合、ヒーターＯＮ信号に伴い第三加熱部材２２０ｃを作動させ、ヒーターＯＦＦ信号に伴い第三加熱部材２２０ｃの作動を停止させ、次のヒーターＯＮ信号に伴い第三加熱部材２２０ｃを作動させることを繰り返して、第一加熱部材２２０ａと第二加熱部材２２０ｂと第三加熱部材２２０ｃの加熱比率を「０：０：１００」にする。
【００６０】
このように、画像形成装置１において画像形成（プリント）が実行されると、ローラー部材２２１に対する用紙Ｐの相対位置に応じて、第一加熱部材２２０ａと第二加熱部材２２０ｂと第三加熱部材２２０ｃの加熱比率が切り替えられて、用紙Ｐの通紙位置に応じた
最適な加熱定着処理が実行される。
以上のように、定着装置２２は、互いに長手方向に対称な温度分布（温度勾配）を有する第一加熱部材２２０ａと第二加熱部材２２０ｂを備えるとともに、左右両端部が略同じ温度の温度分布（温度勾配）を有する第三加熱部材２２０ｃを備えた比較的簡易な構成であるものの、第一加熱部材２２０ａと第二加熱部材２２０ｂと第三加熱部材２２０ｃの作動と停止を適切に切り替えることで、用紙Ｐの通紙位置に応じた最適な加熱定着処理を可能とする優れた装置であり、画像形成装置１の性能を向上させることができる装置であるといえる。
【００６１】
なお、本発明は上記実施形態に限られるものではなく、第一加熱部材２２０ａと第二加熱部材２２０ｂと第三加熱部材２２０ｃの加熱比率を「１００：０：０」、「０：１００：０」、「０：０：１００」に切り替えることに限らない。
例えば、第一加熱部材２２０ａや第二加熱部材２２０ｂや第三加熱部材２２０ｃの作動と停止を繰り返す回数や繰り返し順を調整することによって、第一加熱部材２２０ａと第二加熱部材２２０ｂと第三加熱部材２２０ｃの加熱比率を任意に設定することができる。
例えば、ローラー部材２２１，２２２の左方向（移動方向Ａ、図５参照）への揺動量が０ｃｍ以上２ｃｍ未満の場合には第一加熱部材２２０ａと第二加熱部材２２０ｂと第三加熱部材２２０ｃの加熱比率を「２５：２５：５０」、揺動量が２ｃｍ以上４ｃｍ未満の場合には第一加熱部材２２０ａと第二加熱部材２２０ｂと第三加熱部材２２０ｃの加熱比率を「６６：０：３４」、揺動量が４ｃｍ以上の場合には第一加熱部材２２０ａと第二加熱部材２２０ｂと第三加熱部材２２０ｃの加熱比率を「１００：０：０」とするようにしてもよい。
また、ローラー部材２２１，２２２の右方向（移動方向Ｂ、図６参照）への揺動量が０ｃｍ以上２ｃｍ未満の場合には第一加熱部材２２０ａと第二加熱部材２２０ｂと第三加熱部材２２０ｃの加熱比率を「２５：２５：５０」、揺動量が２ｃｍ以上４ｃｍ未満の場合には第一加熱部材２２０ａと第二加熱部材２２０ｂと第三加熱部材２２０ｃの加熱比率を「０：６６：３４」、揺動量が４ｃｍ以上の場合には第一加熱部材２２０ａと第二加熱部材２２０ｂと第三加熱部材２２０ｃの加熱比率を「０：１００：０」とするようにしてもよい。
【００６２】
（実施形態３）
次に、本発明に係る定着装置の実施形態３について説明する。なお、実施形態１、２と同様の構成については、同符号を付して説明を割愛する。
【００６３】
定着装置２２は、図７に示すように、加熱部として第一加熱部材２２０ａと第二加熱部材２２０ｂと第三加熱部材２２０ｃを備えている。
【００６４】
そして、ＲＯＭ５３に記憶されている加熱比率切替プログラムは、画像形成装置１において画像形成（プリント）の実行が指示された際、その画像形成の実行に関するジョブデータに基づいて、ローラー部材２２１に対する用紙Ｐの相対位置を判断し、用紙Ｐがローラー部材２２１の一端２２１Ｒ寄りに通紙される場合、第一加熱部材２２０ａと第二加熱部材２２０ｂと第三加熱部材２２０ｃのうち、第二加熱部材２２０ｂの加熱比率をゼロにして、第一加熱部材２２０ａと第三加熱部材２２０ｃによる加熱に切り替え、用紙Ｐがローラー部材２２１の他端２２１Ｌ寄りに通紙される場合、第一加熱部材２２０ａと第二加熱部材２２０ｂと第三加熱部材２２０ｃのうち、第一加熱部材２２０ａの加熱比率をゼロにして、第二加熱部材２２０ｂと第三加熱部材２２０ｃによる加熱に切り替え、用紙Ｐがローラー部材２２１の略中央寄りに通紙される場合、第一加熱部材２２０ａと第二加熱部材２２０ｂと第三加熱部材２２０ｃのうち、少なくとも第三加熱部材２２０ｃによる加熱に切り替える処理を制御部５０に実現させるプログラムである。
ＣＰＵ５１が、加熱比率切替プログラムを実行すると、制御部５０は、ローラー部材２
２１に対する用紙Ｐの相対位置であって、通紙される用紙Ｐがローラー部材２２１の一端２２１Ｒ寄りか、他端２２１Ｌ寄りか、中央寄りかを判断する。
そして、用紙Ｐがローラー部材２２１の一端２２１Ｒ寄りに通紙される場合は、第二加熱部材２２０ｂの加熱比率をゼロにして、第一加熱部材２２０ａと第三加熱部材２２０ｃによる加熱を行うため、第一加熱部材２２０ａと第三加熱部材２２０ｃの作動時間・作動回数（点灯時間・点灯回数）を調整するように、制御部５０は、第一加熱部材２２０ａと第二加熱部材２２０ｂと第三加熱部材２２０ｃのオン／オフを切り替える。
また、用紙Ｐがローラー部材２２１の他端２２１Ｌ寄りに通紙される場合は、第一加熱部材２２０ａの加熱比率をゼロにして、第二加熱部材２２０ｂと第三加熱部材２２０ｃによる加熱を行うため、第二加熱部材２２０ｂと第三加熱部材２２０ｃの作動時間・作動回数（点灯時間・点灯回数）を調整するように、制御部５０は、第一加熱部材２２０ａと第二加熱部材２２０ｂと第三加熱部材２２０ｃのオン／オフを切り替える。
また、用紙Ｐがローラー部材２２１の中央寄りに通紙される場合は、少なくとも第三加熱部材２２０ｃによる加熱を行うように、制御部５０は、第一加熱部材２２０ａと第二加熱部材２２０ｂと第三加熱部材２２０ｃのオン／オフを切り替える。
【００６５】
次に、本実施形態３の画像形成装置１における定着装置２２の動作について説明する。
【００６６】
画像形成装置１において画像形成（プリント）が実行されると、制御部５０は、ローラー部材２２１に対する用紙Ｐの相対位置判断を行って、通紙される用紙Ｐがローラー部材２２１の一端２２１Ｒ寄りか、他端２２１Ｌ寄りか、中央寄りかを判断する。
そして、制御部５０によって判断されたローラー部材２２１に対する用紙Ｐの相対位置に応じて、制御部５０は、第一加熱部材２２０ａと第二加熱部材２２０ｂと第三加熱部材２２０ｃの加熱比率を切り替える。
【００６７】
具体的に、用紙Ｐがローラー部材２２１の一端２２１Ｒ寄りに通紙されると判断された場合、制御部５０は、第一加熱部材２２０ａと第三加熱部材２２０ｃのみの加熱に切り替える。例えば、ローラー部材２２１の表面温度が所定の温度以上にならないように、制御部５０は、ヒーターＯＮ信号とヒーターＯＦＦ信号を交互に出力しており、この場合、ヒーターＯＮ信号に伴い第一加熱部材２２０ａを作動させ、ヒーターＯＦＦ信号に伴い第一加熱部材２２０ａの作動を停止させ、次のヒーターＯＮ信号に伴い第三加熱部材２２０ｃを作動させ、ヒーターＯＦＦ信号に伴い第三加熱部材２２０ｃの作動を停止させ、更に次のヒーターＯＮ信号に伴い第一加熱部材２２０ａを作動させることを繰り返して、第一加熱部材２２０ａと第二加熱部材２２０ｂと第三加熱部材２２０ｃの加熱比率を「５０：０：５０」にする。
一方、用紙Ｐがローラー部材２２１の他端２２１Ｌ寄りに通紙されると判断された場合、制御部５０は、第二加熱部材２２０ｂと第三加熱部材２２０ｃのみの加熱に切り替える。例えば、ローラー部材２２１の表面温度が所定の温度以上にならないように、制御部５０は、ヒーターＯＮ信号とヒーターＯＦＦ信号を交互に出力しており、この場合、ヒーターＯＮ信号に伴い第二加熱部材２２０ｂを作動させ、ヒーターＯＦＦ信号に伴い第二加熱部材２２０ｂの作動を停止させ、次のヒーターＯＮ信号に伴い第三加熱部材２２０ｃを作動させ、ヒーターＯＦＦ信号に伴い第三加熱部材２２０ｃの作動を停止させ、更に次のヒーターＯＮ信号に伴い第二加熱部材２２０ｂを作動させることを繰り返して、第一加熱部材２２０ａと第二加熱部材２２０ｂと第三加熱部材２２０ｃの加熱比率を「０：５０：５０」にする。
また、用紙Ｐがローラー部材２２１の略中央側に通紙されると判断された場合、制御部５０は、少なくとも第三加熱部材２２０ｃによる加熱を行うように、例えば第三加熱部材２２０ｃのみの加熱に切り替えて、第一加熱部材２２０ａと第二加熱部材２２０ｂと第三加熱部材２２０ｃの加熱比率を「０：０：１００」にする。また例えば、制御部５０は、少なくとも第三加熱部材２２０ｃによる加熱を行うように、３つの加熱部材の加熱比率を
切り替えて、第一加熱部材２２０ａと第二加熱部材２２０ｂと第三加熱部材２２０ｃの加熱比率を「２５：２５：５０」にしてもよい。
【００６８】
このように、画像形成装置１において画像形成（プリント）が実行されると、ローラー部材２２１に対する用紙Ｐの相対位置に応じて、第一加熱部材２２０ａと第二加熱部材２２０ｂと第三加熱部材２２０ｃの加熱比率が切り替えられて、用紙Ｐの通紙位置に応じた最適な加熱定着処理が実行される。
以上のように、定着装置２２は、互いに長手方向に対称な温度分布（温度勾配）を有する第一加熱部材２２０ａと第二加熱部材２２０ｂを備えるとともに、左右両端部が略同じ温度の温度分布（温度勾配）を有する第三加熱部材２２０ｃを備えた比較的簡易な構成であるものの、第一加熱部材２２０ａと第二加熱部材２２０ｂと第三加熱部材２２０ｃの作動と停止を適切に切り替えることで、用紙Ｐの通紙位置に応じた最適な加熱定着処理を可能とする優れた装置であり、画像形成装置１の性能を向上させることができる装置であるといえる。
【００６９】
なお、本発明は上記実施形態に限られるものではない。
例えば、図９に示すように、第一加熱部材２２０ａの温度分布に関し、左右の端部の高温域と中央側の低温域をつなぐ温度勾配を、図５に示した温度勾配よりも緩やかな傾斜にしたり、左右端部の高温域の幅を狭くしたりするなどしてもよい。つまり、第一加熱部材２２０ａの温度分布は、他方の端部に対し一方の端部の温度を高くするようにすれば任意の温度分布であってよい。
なお、第一加熱部材２２０ａ一方の端部は他方の端部よりも５℃以上高いことが好ましい。
また、図１０に示すように、第一加熱部材２２０ａの温度分布に関し、他方の端部に対し一方の端部の温度を高くし、その中央側の温度を他方の端部よりも高く一方の端部よりも低い中程の温度となる温度分布であってもよい。
また、図１１に示すように、第一加熱部材２２０ａの温度分布に関し、他方の端部に対し一方の端部の温度を高くし、その一方の端部の高温域が中央側にまで亘るような温度分布であってもよい。つまり、第一加熱部材２２０ａの温度分布は、他方の端部に対し一方の端部の温度を高くするようにすれば、その中央側の温度は、一方の端部と同じ温度であったり、他方の端部と同じ温度であったりしてもよい。
また、第二加熱部材２２０ｂの温度分布や、第三加熱部材２２０ｃの温度分布についても同様に、所定の温度条件を満たせば、任意の温度分布であってよい。
【００７０】
なお、以上の実施の形態においては、用紙Ｐのエッジがローラー部材２２１，２２２の一部分に集中しないように、ローラー部材２２１，２２２はその回転軸方向に揺動されるとしたが、本発明はこれに限定されるものではない。
例えば、定着装置２２に許容された最大サイズの用紙が通紙される場合、ローラー部材２２１，２２２の揺動を行わなければ、その通紙が繰り返されることによってローラー部材２２１，２２２の端部側表面にエッジ傷が生じるおそれがあるが、最大サイズの用紙よりも幅広の用紙が通紙されることはなく、そのエッジ傷による画像形成不良が発生することはないので、最大サイズの用紙を通紙する際には、定着装置（ローラー部材２２１，２２２）は揺動しなくてもよい。
つまり、定着装置２２に許容された最大サイズの用紙に画像形成（プリント）を行う場合、ローラー部材２２１，２２２を揺動させないようにしたり、揺動させるか否か選択可能にしたりしてもよい。
なお、定着装置（ローラー部材２２１，２２２）が揺動しない場合、第一加熱部材２２０ａと第二加熱部材２２０ｂの加熱比率を「５０：５０」にしたり、第一加熱部材２２０ａと第二加熱部材２２０ｂと第三加熱部材２２０ｃの加熱比率を「３３：３３：３３」（或いは「２５：２５：５０」や「０：０：１００」）にしたりすることで、ローラー部材
２２１を均一に加熱するようにすればよい。
【００７１】
また、以上の実施の形態において、定着装置２２は、加熱部材が配設された駆動ローラーであるローラー部材２２１と、従動ローラーであるローラー部材２２２とで用紙Ｐを挟持搬送する構成であるとしたが、本発明はこれに限定されるものではなく、例えば、加熱源を有する加熱ローラーとローラー部材２２１に掛架された無端状のベルト部材を備え、加熱ローラーで加熱されたベルト部材を、駆動ローラーであるローラー部材２２１と従動ローラーであるローラー部材２２２とで圧接するように回転し、ベルト部材とローラー部材２２２の間で用紙Ｐを挟持搬送する構成の定着装置であってもよい。
【００７２】
また、その他、具体的な細部構造等についても適宜に変更可能であることは勿論である。
【符号の説明】
【００７３】
１      画像形成装置
１０    画像読取部
２０    画像形成部
２２    定着装置
２２０ａ  第一加熱部材（加熱部）
２２０ｂ  第二加熱部材（加熱部）
２２０ｃ  第三加熱部材（加熱部）
２２１  ローラー部材（定着部）
２２１Ｌ  他端
２２１Ｒ  一端
２２２  ローラー部材（定着部）
２５    用紙収容部
３０    搬送部
４０    操作部
５０    制御部
Ｐ      用紙
【図１】
2013083748.tif 000003
【図２】
2013083748.tif 000004
【図３】
2013083748.tif 000005
【図４】
2013083748.tif 000006
【図５】
2013083748.tif 000007
【図６】
2013083748.tif 000008
【図７】
2013083748.tif 000009
【図８】
2013083748.tif 000010
【図９】
2013083748.tif 000011
【図１０】
2013083748.tif 000012
【図１１】
2013083748.tif 000013